(57)【要約】【課題】脚折れテーブルに対しても幕板を取り付けることができ、更に、幕板をテーブルに容易かつガタつきなく取り付けることができるようにする。【解決手段】支脚３を有するテーブルの前側に幕板４を取り付ける幕板の取付装置であって、幕板４の裏面側とテーブルの前面側の一方に凹部１０を、他方に前記凹部１０に嵌合する凸部１４を対向して設ける。幕板４の裏面側に、前記凹部１０と凸部１４との嵌合状態において幕板４の前後方向の移動を阻止するようにテーブル側に係止させるロック手段３０を設ける。【選択図】          図２
2005013364.tif 000002
【特許請求の範囲】
【請求項１】
支脚を有するテーブルの前側に幕板を取り付ける幕板の取付装置であって、幕板の裏面側とテーブルの前面側の一方に凹部を、他方に前記凹部に嵌合する凸部を対向して設け、幕板の裏面側に、前記凹部と凸部との嵌合状態において幕板の前後方向の移動を阻止するようにテーブル側に係止させるロック手段を設けたことを特徴とするテーブルに対する幕板の取付装置。
【請求項２】
テーブルの天板の下面側における左右方向の両側に、支脚を回転可能に支持するヒンジ部材を設け、該ヒンジ部材の前側と取り付けられる幕板の裏面側の一方に凹部を、他方に前記凹部に嵌合する凸部を対向して設け、更に、幕板の裏面側にはロック部材を、幕板側を中心として水平方向に回転可能に備え、該ロック部材の回転により、該ロック部材を支脚における前記幕板の取付側面と反対の裏面に係止したり、分離するようにしたことを特徴とするテーブルに対する幕板の取付装置。
【請求項３】
前記凹部と凸部を環状に形成した請求項１又は２記載のテーブルに対する幕板の取付装置。
【請求項４】
前記幕板側の凸部又は凹部を幕板の裏面上部に設け、幕板の裏面の下部に、前記支脚の前面に当接する弾性材からなる当接部材を設け、前記ロック部材を、前記凸部又は凹部と前記当接部材との中間の位置に設けた請求項２又は３記載のテーブルに対する幕板の取付装置。。
【請求項５】
前記ロック部材に、該ロック部材を支脚の裏面に係止した状態において支脚の外側面に係止する係止爪を設けた請求項２又は３又は４記載のテーブルに対する幕板の取付装置。
【請求項６】
テーブルの天板の下面側における左右方向の両側に、支脚を回転可能に支持するヒンジ部材を設け、該ヒンジ部材の前側と取り付けられる幕板の裏面側の一方に凹部を、他方に前記凹部に嵌合する凸部を対向して設け、更に、幕板の裏面側には、該裏面と直交する方向へ突出した可撓性を有する係止板を設けるとともに該係止板の先部には、支脚における前記幕板の取付側面と反対の裏面に係止する係止爪を設けたことを特徴とするテーブルに対する幕板の取付け装置。
【請求項７】
テーブルの天板の下面側における左右方向の両側に、支脚を回転可能に支持するヒンジ部材を設け、該ヒンジ部材の前側と取り付けられる幕板の裏面側の一方に凹部を、他方に前記凹部に嵌合する凸部を対向して設け、更に、幕板の裏面側には、該裏面と直交する方向へ突出した係止板を設けるとともに該係止板にピン穴を形成し、また、前記支脚側には前記ピン穴に対応する位置に係止穴を形成し、前記ピン穴と係止穴とにピンを挿通するようにしたテーブルに対する幕板の取付け装置。
【発明の詳細な説明】
【０００１】
【発明の属する技術分野】
本発明はテーブルに対する幕板の取付装置に関する。
【０００２】
【従来の技術】
従来、テーブル、机など（以下テーブルという）において、図１９に示すように、テーブル１０１の天板１０２の前側（着席側と反対の側）に、着席者の膝が相手側から見えないように隠す幕板１０３を付設するものが知られている。
【０００３】
このような幕板１０３は一般に支脚１０４に対して取り外しを目的とすることなくボルト１０５で固着している。
【０００４】
【発明が解決しようとする課題】
前記従来のように幕板１０３を支脚１０４に固着するものにおいては、支脚１０４を折り畳み式にした脚折れテーブルには適用できない。
【０００５】
そこで本発明は、脚折れテーブルに対して、テーブルの使用時には幕板を容易かつ強固に付設でき、テーブルの不使用時に支脚を折り畳む際には幕板を容易に取り外すことができる幕板の取付装置を提供することを目的とする。
【０００６】
【課題を解決するための手段】
前記の課題を解決するために、請求項１記載の発明は、支脚を有するテーブルの前側に幕板を取り付ける幕板の取付装置であって、幕板の裏面側とテーブルの前面側の一方に凹部を、他方に前記凹部に嵌合する凸部を対向して設け、幕板の裏面側に、前記凹部と凸部との嵌合状態において幕板の前後方向の移動を阻止するようにテーブル側に係止させるロック手段を設けたことを特徴とするものである。
【０００７】
請求項２記載の発明は、テーブルの天板の下面側における左右方向の両側に、支脚を回転可能に支持するヒンジ部材を設け、該ヒンジ部材の前側と取り付けられる幕板の裏面側の一方に凹部を、他方に前記凹部に嵌合する凸部を対向して設け、更に、幕板の裏面側にはロック部材を、幕板側を中心として水平方向に回転可能に備え、該ロック部材の回転により、該ロック部材を支脚における前記幕板の取付側面と反対の裏面に係止したり、分離するようにしたことを特徴とするものである。
【０００８】
請求項３記載の発明は、請求項１又は２記載の発明において、前記凹部と凸部を環状に形成したものである。
【０００９】
請求項４記載の発明は、請求項２又は３記載の発明において、前記幕板側の凸部又は凹部を幕板の裏面上部に設け、幕板の裏面の下部に、前記支脚の前面に当接する弾性材からなる当接部材を設け、前記ロック部材を、前記凸部又は凹部と前記当接部材との中間の位置に設けたものである。
【００１０】
請求項５記載の発明は、請求項２又は３又は４記載の発明において、前記ロック部材に、該ロック部材を支脚の裏面に係止した状態において支脚の外側面に係止する係止爪を設けたものである。
【００１１】
請求項６記載の発明は、テーブルの天板の下面側における左右方向の両側に、支脚を回転可能に支持するヒンジ部材を設け、該ヒンジ部材の前側と取り付けられる幕板の裏面側の一方に凹部を、他方に前記凹部に嵌合する凸部を対向して設け、更に、幕板の裏面側には、該裏面と直交する方向へ突出した可撓性を有する係止板を設けるとともに該係止板の先部には、支脚における前記幕板の取付側面と反対の裏面に係止する係止爪を設けたことを特徴とするものである。
【００１２】
請求項７記載の発明は、テーブルの天板の下面側における左右方向の両側に、支脚を回転可能に支持するヒンジ部材を設け、該ヒンジ部材の前側と取り付けられる幕板の裏面側の一方に凹部を、他方に前記凹部に嵌合する凸部を対向して設け、更に、幕板の裏面側には、該裏面と直交する方向へ突出した係止板を設けるとともに該係止板にピン穴を形成し、また、前記支脚側には前記ピン穴に対応する位置に係止穴を形成し、前記ピン穴と係止穴とにピンを挿通するようにしたものである。
【００１３】
【発明の実施の形態】
本発明の好ましい実施の形態を図１乃至図１８に示す実施例に基づいて説明する。
【００１４】
図１乃至図７は第１実施例を示す。
図１は本発明を脚折れテーブルに適用した実施例で、テーブル１は天板２と、該天板２の下面に折り畳み可能に備えた支脚３とからなる。支脚３は周知の折り畳み機構により図１の矢印方向に起倒可能に設けられている。図１において、４は幕板を示す。
【００１５】
天板２の下面には、その前側（幕板が取り付けられる側）と後側に位置してアルミニウム製の取付枠５（図２参照）が天板２の左右方向に固設されている。この前後の取付枠５のうちの前側（幕板を取り付ける側）の取付枠５の左右端には図２及び図３に示すように、樹脂製の固定側のヒンジ部材６が、その螺棒７を取付枠５に螺着して固設されている。
【００１６】
この一方の固定側ヒンジ部材６と幕板４の一方の側との取付構造について説明する。
【００１７】
前記固定側のヒンジ部材６は上面から見てコ字状に形成され、その中央の溝部には回転側のヒンジ部材８が回転可能に嵌合されている。固定側のヒンジ部材６と回転側のヒンジ部材８は水平の回転軸９により連結され、該回転側のヒンジ８に支脚３が固設されている。したがって、支脚３は回転軸９を中心として矢印Ａ−Ｂ方向に回転し、支脚３を矢印Ａ方向に回転することにより天板２の下面側に起立させ、矢印Ｂ方向に回転することにより倒伏するようになっている。また、この支脚３の起立状態と折り畳み状態は図示しない周知の折り畳み機構により保持されるようになっている。
【００１８】
前記固定側のヒンジ６の前側壁６ａには、前側が開口する環状の凹部１０が形成され、また後側壁６ｂには、後側が開口する環状の凹部１１が形成されている。すなわち、中央部に前記の回転軸９を挿通する円形の支持部１０ａと、該支持部１０ａの外部に、支持部１０ａを中心とする円形の突部１０ｂによって円形の環状の凹部１０が形成されている。また、凹部１１側も同様に形成されている。
【００１９】
幕板４は天板２の左右方向と略同等の長さで、所定の上下方向の幅を有する硬質の板状に形成されており、その主体はアルミニウムなどの軽量材で形成されている。該幕板４の裏面側における左右方向の端部には樹脂製のハンガー１２がネジ１３により固設されている。該ハンガー１２の上部には、幕板４の裏側方向（天板２側方向）に向かって突出する環状の凸部１４が一体に形成されている。該環状の凸部１４は前記環状の凹部１０に、ほぼ一ぱいに嵌合するように円形の環状に形成されている。
【００２０】
更に、前記ハンガー１２の下部には樹脂製のロック部材１５がヒンジ部１６により水平面、すなわち天板２の裏面と直交する面内において回転するように備えられている。より詳しくは、前記ハンガー１２に、Ｕ字突起１７を縦方向に形成して縦穴部１７ａを形成し、該縦穴部１７ａに金属棒からなるヒンジ１８の縦軸１８ａを回転可能に挿通し、該ヒンジ１８の下部を水平に折曲し、該折曲部１８ｂの先部にロック部材１５を、折曲部１８ｂに対して直交する水平方向に配置して固設されている。該ロック部材１５におけるハンガー１２と対面する係止面１５ａは、図２に示すように、前記ヒンジ１８の折曲部１８ｂを幕板４の面と直交する方向に起立した状態において、ハンガー１２の面と略平行するように、すなわち、支脚３の裏面３ａと略平行するように形成されている。
【００２１】
更に、前記ロック部材１５における前記ヒンジ１８の折曲部１８ｂと反対の側には、その前記係止面１５ａよりも表側へ突出する係止爪１５ｂが形成されており、ロック部材１５を図４に示すように支脚３の裏面３ａに当接した場合に、係止爪１５ｂが支脚３の外側面３ｂに弾力的に係止するようになっている。
【００２２】
なお、前記ハンガー１２には、前記Ｕ字突起１７の下部に位置して、前後方向に弾性を有するヒンジ受け１９が形成されており、前記ヒンジ１８の縦軸１８ａを縦穴１７ａに下から圧入するのみで、ヒンジ１８をヒンジ受け１９で落下することなく、かつ、回転可能に保持するようになっている。前記ハンガー１２、環状の凸部１４、Ｕ字突起１７、ヒンジ受け１９は樹脂により一体成形されている。
【００２３】
前記ヒンジ部１６、ヒンジ１８及びロック部材１５によりロック手段３０を構成している。
【００２４】
また、前記幕板４の裏面における前記ハンガー１２の下方の位置には、図３乃至図６に示すように、弾性材料、例えばゴムなどからなる当接部材２０が固設されている。該当接部材２０は、前記天板２に固設されたハンガー１２の凸部１４を前記凹部１０に嵌合して幕板４を取り付けた状態において、当接部材２０が支脚３の前面３ｃに当接する位置に設けられている。
【００２５】
また、ハンガー１２からのロック部材１５の突出量Ｌ１は、図３に示すように、凸部１４を凹部１０に嵌合し、当接部材２０を支脚３の前面３ｃに当接した状態において、ロック部材１５を支脚３の裏面３ａに係止した際に、ロック部材１５の係止面１５ａが支脚３の裏面３ａに圧接するように設定されている。すなわち、凸部１０及び当接部材２０とロック部材１５とで支脚３を圧着的に挟持するようになっている。更に、ロック部材１５を、凸部１０と当接部材２０との中間に位置させて、支脚３の挟持を有効に行うようになっている。
【００２６】
前記の天板２側のヒンジ部材６は、前記取付枠５の他方にも同様に設けられて支脚を支持しており、また、幕板４側の前記ハンガー１２、ロック部材１５、当接部材２０なども幕板４の左右方向の他方にも同様に設けられている。
【００２７】
以上の構造において、図２に示すように幕板４がテーブル１側から分離された状態より、幕板４をテーブル１側へ付設する場合について説明する。
【００２８】
まず、幕板４を、そのロック部材１５を図２の鎖線で示すように幕板４の裏面側に開いた状態で、テーブルの天板２の前側に位置させて、幕板４における左右方向の両側に付設した左右のハンガー１２，１２の夫々の凸部１４，１４を、テーブル側の左右方向の両側に固設したヒンジ部材６，６の凹部１０，１０に嵌合する。これにより、天板２に対する幕板４の左右方向と上下方向の位置決めがされるとともに、幕板４が仮保持される。
【００２９】
次に前記のように開いていたロック部材１５を、幕板４の面と直交する方向に回転して図４に示すように起立させる。この回転時には、弾性材からなる当接部材２０の弾性とロック部材１５の樹脂からなる係止爪１５ｂの弾性により、係止爪１５ｂが支脚３の裏面３ａを圧接状態で乗り越え、係止爪１５ｂが支脚３の外側面３ｂに位置すると、前記弾性力により係止爪１５ｂが外側面３ｂに係止して連結される。このような連結は、幕板４の左右の両側において行われる。
【００３０】
以上のように、幕板４側の環状の凸部１４をテーブル側の環状の凹部１０に嵌合することによって、幕板４の裏面の方向、すなわち上下、左右方向の位置ズレ及びガタつきが阻止され、また、ロック部材１５を支柱３に係止することにより、前記凸部１４と当接部材２０が支脚３側へ圧接されて幕板４の前後方向のガタつきが阻止される。また、ロック部材１５の係止爪１５ｂの支脚３への引っ掛かりにより、幕板４の連結状態が維持される。
【００３１】
したがって、幕板４をテーブル側へ容易に、かつ、ガタつきなく強固に取り付けることができる。
【００３２】
また、ロック部材１５を前記のように凸部１４と当接部材２０との中間に配置したことにより、幕板４を支脚３に対して安定した状態に強固に取り付けることができる。
【００３３】
次に、前記の付設された幕板４を取り外す場合には、前記の操作と逆の操作により幕板４を容易に外すことができる。
【００３４】
このように取り外された幕板４を部屋の隅等に積み重ねて置く際には、ロック部材１５を図２の鎖線で示すように開くことにより、１つの幕板４部の厚みを、ロック部材１５が起立のままの場合に比べて薄くすることができ、積み重ね収納の占有空間を少なくすることができる。
【００３５】
また、前記実施例のように幕板４をテーブル１側に取り付け、取り外し可能にしたので、まず、テーブル１を購入し、その後に必要により幕板４を購入して、幕板４を前記のように取り付けて使用することができる。
【００３６】
なお、前記実施例においては、凹部１０をテーブル１側に設け、凸部１４を幕板４側に設けたが、凹部１０を幕板４側に設け、凸部１４をテーブル１側に設けてもよい。
【００３７】
図８乃至図１２は第２実施例を示す。
図８は幕板４をテーブルの支脚３に取り付けた状態の略平面図、図９は図８において右側から見た側面図、図１０は幕板４の裏面と幕板４と支脚３との係止部を示す図、図１１は支脚部の側面図、図１２は幕板４の側面図である。
【００３８】
テーブル１の天板２と支脚３は前記第１実施例と同様の構造であるため、前記と同一部分には前記と同一の符号を付してその説明を省略する。
【００３９】
したがって、本第２実施例においても、支脚３の上端にヒンジ６が設けられ、該ヒンジ６の前側壁６ａと後側壁６ｂに前記第１実施例と同様の環状の凹部１０，１１が形成されている。
【００４０】
幕板４は前記第１実施例の幕板４と同様であり、該幕板４の裏面の上部には前記第１実施例と同様の環状の凸部１４が固設され、また、幕板４の裏面の下部には前記第１実施例と同様の当接部材２０が固設されている。
【００４１】
幕板４の裏面には前記第１実施例のロック手段３０とは異なるロック手段３０Ａが設けられている。このロック手段３０Ａについて説明する。
【００４２】
該ロック手段３０Ａは、幕板４の裏面に固着した基板４１と、該基板４１から幕板４の裏面と直交する方向へ突出するように起立させた係止板４２と、該係止板４２の先端部において幕板の左右方向の外側へ突出した係止爪４３とからなり、これらが樹脂で一体に形成されており、その係止板４２が幕板４の左右方向に弾性を有して撓むように可撓性を有している。また、該ロック手段３０Ａは、前記凸部１４と当接部材２０との中間に配置されている。
【００４３】
前記ロック手段３０Ａは、幕板４の左右方向の両側に図８及び図１０に示すように設けられており、その両ロック手段３０Ａ，３０Ａにおける両係止板４２，４２の外面間寸法Ｌ２は、左右方向の支脚３，３における内面間寸法Ｌ３より若干短く設定され、更に、両係止板４２，４２における両係止爪４３，４３の先端間寸法Ｌ４は、前記寸法Ｌ３よりも長く設定されている。
【００４４】
本第２実施例において、取り外された幕板４をテーブル１に取り付ける場合には、幕板４を、その裏面に設けた両係止板４２，４２を支脚３，３間に位置させてテーブル１側へ押し込み、幕板４の上部に設けた凸部１４，１４をテーブル１側の凹部１０，１０に嵌合する。このとき、係止板４２，４２の挿入時には係止板４２，４２がその弾性により内側へ撓み、凸部１４と凹部１０の嵌合終了時に係止板４２，４２がその弾性により復元し、その両係止爪４３，４３が両支脚３の裏面３ａに図８及び図１０に示すように係止する。
【００４５】
以上のように、幕板４の凸部１４がテーブル１側の凹部１０に嵌合することによって、幕板４の裏面方向、すなわち、上下左右方向の位置ズレ及びガタつきが阻止され、また、ロック手段３０Ａの係止爪４３が支脚３の裏面３ａに係止することによって、前記凸部１４と当接部材２０が支脚３側へ圧接されて幕板４の前後方向のガタつきが阻止される。また、ロック手段３０Ａの係止爪４３の支脚３への引っ掛かりにより、幕板４の連結状態が維持される。
【００４６】
したがって、幕板４をテーブル１側へ容易に、かつ、ガタつきなく強固に取り付けることができる。
【００４７】
また、ロック手段３０Ａを前記のように凸部１４と当接部材２０との中間に配置したことにより、幕板４を支脚３に対して安定した状態に強固に取りつけることができる。
【００４８】
次に、前記の付設された幕板を取り外すには、両係止爪４３，４３を手操作で内側へ押して支脚３，３より外し、幕板４を前側へ引くことにより取り外すことができる。
【００４９】
また、本第２実施例においても、まず、テーブル１を購入し、その後に必要により幕板４を購入して、幕板４を前記のように取り付けて使用することができる。
【００５０】
また、本第２実施例においても、凹部１０を幕板４側に設け、凸部１４をテーブル１側に設けてもよい。
【００５１】
図１３乃至図１８は第３実施例を示す。
図１３は幕板４の取り付け前の状態を示す略平面図、図１４は幕板４を取り付けた状態の略平面図、図１５は図１４における右側から見た側面図、図１６は幕板４の裏面と幕板４と支脚３との係止部を示す図、図１７は支脚部の側面図、図１８は幕板４の側面図である。
【００５２】
本第３実施例も前記第２実施例と同様に、第１実施例のロック手段３０を他の構造のロック手段３０Ｂとしたもので、このロック手段３０Ｂ以外の構造は前記第１実施例と同様であるため、前記と同一部分には前記と同一の符号を付してその説明を省略する。
【００５３】
本第３実施例のロック手段３０Ｂは、幕板４の裏面に固着した基板５１と、該基板５１から幕板４の裏面と直交する方向へ突出して起立させた係止板５２と、該係止板５２に形成したピン穴５３と、該ピン穴５３に挿通、取り外し可能に備えたピン５４とからなる。
【００５４】
前記ロック手段３０Ｂは幕板４の裏面の左右に設けられているとともに、両係止板５２，５２は、両支脚３，３の内側に位置するように設定されている。
【００５５】
また、両支脚３，３の内側壁３ｄには、前記ピン５４が嵌る係止穴５５が形成されている。
【００５６】
本第３実施例において、取り外された幕板４をテーブル１に取り付ける場合には、図１３に示すようにピン５４を内側へ移動させた状態の幕板４を、その裏面に設けた両係止板５２，５２が支脚３，３間に位置するようにしてテーブル１側へ近接させ、幕板４の上部に設けた凸部１４，１４をテーブル１側の凹部１０，１０に嵌合する。
【００５７】
この嵌合状態において、支脚３，３の間に挿入された両係止板５２，５２に備えたピン５４，５４を支脚３，３に形成した係止穴５５，５５に図１４に示すように嵌入する。
【００５８】
以上のように、幕板４の凸部１４がテーブル１側の凹部１０に嵌合することによって、幕板４の裏面方向、すなわち上下、左右方向の位置ズレ及びガタつきが阻止され、また、ロック手段３０Ｂのピン５４，５４と係止穴５５，５５の係合により、前記凸部１４と当接部材２０が支脚３側へ圧接されて幕板４の前後方向のガタつきが阻止される。また、そのピン５４，５４と係止穴５５，５５の係止により幕板４の連結状態が維持される。
【００５９】
したがって、幕板４をテーブル１側へ容易に、かつ、ガタつきなく強固に取り付けることができる。
【００６０】
また、ロック手段３０Ｂを前記のように凸部１４と当接部材２０との中間に配置したことにより、幕板４を支脚３に対して安定した状態に強固に取り付けることができる。
【００６１】
次に、前記の付設された幕板４を取り外すには、前記と逆の操作により取り外すことができる。
【００６２】
また、本第３実施例においても、まず、テーブル１を購入し、その後に必要により幕板４を購入して、幕板４を前記のように取り付けて使用することができる。
【００６３】
また、本第３実施例においても、凹部１０を幕板４側に設け、凸部１４をテーブル側に設けてもよい。
【００６４】
【発明の効果】
以上のようであるから、本発明によれば、幕板をテーブルに対して容易に着脱できるので、脚折れテーブルに幕板を取り付けることができる上に、幕板をテーブル側に取り付けた状態においては、凹部と凸部の嵌合により幕板の面方向、すなわち上下方向及び左右方向のガタつきを防止し、ロック手段により幕板の面方向と直交する前後方向のガタつきを防止することができ、幕板を所定位置に強固にテーブル側へ取り付けることができる。
【００６５】
また、幕板の上部に前記の凹部又は凸部を設け、下方に支脚への当接部材を設け、この凹部又は凸部と当接部材の中間の位置にロック部材を配置することにより、幕板を支脚に安定した状態で強固に取り付けることができる。
【００６６】
更に、ロック部材に係止爪を設けることにより、ロック部材によるロック状態の保持が確実となる。
【００６７】
また、請求項６及び７記載の発明においても前記と同様の効果を発揮できる。
【図面の簡単な説明】
【図１】本発明を適用した幕板付きのテーブルを示す斜視図。
【図２】本発明の幕板取付装置の実施例を示す斜視図。
【図３】図２の取付装置において幕板をテーブル側に取り付けた側断面図。
【図４】図３におけるＣ−Ｃ線断面図。
【図５】本発明の幕板の裏面図で、中央部は省略されている。
【図６】図５における左側面図。
【図７】本発明のハンガーを示すもので、（ａ）は裏面図、（ｂ）は（ａ）におけるＤ−Ｄ線断面図。
【図８】本発明の第２実施例を示すもので、幕板を支脚に取り付けた状態の略平面図。
【図９】図８における右側面図。
【図１０】図９の幕板の裏面側を示す図。
【図１１】図９のテーブル側を示す側面図。
【図１２】図９の幕板を示す側面図。
【図１３】本発明の第３実施例を示すもので、幕板を外した状態の幕板と支脚の略平面図。
【図１４】図１３において幕板を支脚に取り付けた状態の略平面図。
【図１５】図１４における右側面図。
【図１６】図１４の幕板の裏面側を示す図。
【図１７】図１５のテーブル側を示す側面図。
【図１８】図１５の幕板を示す側面図。
【図１９】従来の幕板付テーブルを示す斜視図。
【符号の説明】
１    テーブル
２    天板
３    支脚
４    幕板
６    ヒンジ部材
１０  凹部
１２  ハンガー
１４  凸部
１５  ロック部材
１５ｂ  係止爪
１６    ヒンジ部
１８    ヒンジ
２０    当接部材
３０，３０Ａ，３０Ｂ  ロック手段
４２，５２    係止板
４３    係止爪
５３    ピン穴
５４    ピン
５５    係止穴
【図１】
2005013364.tif 000003
【図２】
2005013364.tif 000004
【図３】
2005013364.tif 000005
【図４】
2005013364.tif 000006
【図５】
2005013364.tif 000007
【図６】
2005013364.tif 000008
【図７】
2005013364.tif 000009
【図８】
2005013364.tif 000010
【図９】
2005013364.tif 000011
【図１０】
2005013364.tif 000012
【図１１】
2005013364.tif 000013
【図１２】
2005013364.tif 000014
【図１３】
2005013364.tif 000015
【図１４】
2005013364.tif 000016
【図１５】
2005013364.tif 000017
【図１６】
2005013364.tif 000018
【図１７】
2005013364.tif 000019
【図１８】
2005013364.tif 000020
【図１９】
2005013364.tif 000021